(57)【特許請求の範囲】
【請求項１】
吸気口及び排気口を有する本体躯体と、立上り部及び底盤部を有する前記本体躯体下部の基礎と、から構成され、前記立上り部における内周面及び前記底盤部における前記立上り部に接している少なくとも一部に断熱材が貼設されているとともに、前記本体躯体と前記基礎部との間が床部材により区画されており、通風可能な床下空間が形成されている建物において、
前記床下空間に設置した吸気手段及び空気濾過手段と、前記本体躯体に設けられている排気手段と、を有し、
前記床部材は、前記吸気口が設けられた第１室内空間と前記吸気手段とを連通させる吸気連通口と、前記排気手段が設けられた第２室内空間と前記床下空間とを連通させる排気連通口と、を有し、
前記吸気手段は、床下ダクトによって前記吸気連通口と接続されるとともに、前記吸気連通口から吸入した空気を前記床下空間に導入し、
前記床下空間に導入された空気は、前記排気連通口及び前記第２室内空間を介して、前記排気手段によって前記排気口から排出されることを特徴とする建物。
【請求項２】
前記床下空間には、通排風可能な床下収納庫が設けられていることを特徴とする請求項１に記載の建物。
【発明の詳細な説明】
【０００１】
【発明の属する技術分野】
本発明は、床下空間への通風を可能とした建物に関する。
【０００２】
【従来の技術】
近年、建物の高気密化及び高断熱化等の要請が高まる中、シックハウス対策をはじめ良好な室内環境の維持を図るために、室内の連続換気を行い空気循環させることが行われており、所定の効果が奏されている。
【０００３】
【発明が解決しようとする課題】
一方、建物の一部である床下空間については、従来から特別な施工を行っていなかったため、以下のような問題点が生じていた。
（１）床下空間で結露が生じる場合があり、床部材が腐食したりカビ等が発生し、建物の耐久性に影響を及ぼす恐れがあった。
（２）床下空間の湿気が室内空間に浸入し、畳や絨毯、押入等に影響を及ぼす恐れがあった。
（３）多湿な床下空間の環境下において、各種害虫の繁殖等が生じる恐れがあった。
【０００４】
このような場合の対策としては、基礎の立上り部に吸気口及び排気口を設け換気を行うことが考えられるが、適切な換気を行うことができないこと、当該部位からひび割れが発生する恐れがあり建物の耐久性に影響を及ぼす恐れがあること、室内空間における冷暖房の効率が悪くなる恐れがあること、及び、空気が淀んで汚れること等の問題が依然として生じていた。
【０００５】
本発明は前記の問題点を解決するためになされたものであり、床下空間への通風を可能とすることにより建物の耐久性及び居住性を向上させた建物を提供することを目的とする。
【０００６】
【課題を解決するための手段】
前記課題を解決するために、本発明の建物は、吸気口及び排気口を有する本体躯体と、立上り部及び底盤部を有する前記本体躯体下部の基礎と、から構成され、前記立上り部における内周面及び前記底盤部における前記立上り部に接している少なくとも一部に断熱材が貼設されているとともに、前記本体躯体と前記基礎部との間が床部材により区画されており、通風可能な床下空間が形成されている建物において、前記床下空間に設置した吸気手段及び空気濾過手段と、前記本体躯体に設けられている排気手段と、を有し、前記床部材は、前記吸気口が設けられた第１室内空間と前記吸気手段とを連通させる吸気連通口と、前記排気手段が設けられた第２室内空間と前記床下空間とを連通させる排気連通口と、を有し、前記吸気手段は、床下ダクトによって前記吸気連通口と接続されるとともに、前記吸気連通口から吸入した空気を前記床下空間に導入し、前記床下空間に導入された空気は、前記排気連通口及び前記第２室内空間を介して、前記排気手段によって前記排気口から排出されることを特徴としている。
【０００７】
本発明によれば、本体躯体に設けられている吸気口及び排気口と、床下空間とを連通させることにより、前記吸気口から吸入した空気を前記床下空間に導入して流通させ、前記排気口から排出することができることから、床下空間の通気性を向上させることが可能となる。そのため、床下空間の多湿状態を改善させて、結露の発生、害虫の発生等を防止することができるため、建物の耐久性の向上を図ることができる。
また、基礎に吸気口及び排気口を設ける必要がないことから、当該部位からのひび割れの発生等を防止することが可能となるため、建物の耐久性の向上を図ることができる。
【０００８】
また、基礎に吸気口及び排気口を設ける必要がないこと及び基礎の所定位置に断熱材が貼設されていることから、室内空間における冷暖房の効率を向上させることができ、快適な居住空間を提供することが可能となる。
さらに、床下空間に吸気手段及び空気濾過手段を設置しているため、当該床下空間へ清浄な空気を多量に導風させることができるため、床下空間を良好な環境に保ちつつ、効率的に換気を行うことが可能となる。
【０００９】
また、前記床下空間には、通排風可能な床下収納庫が設けられていてもよい。また、前記建物において、前記排気手段を、前記本体躯体に設けられている既設の換気装置と兼用させるものであってもよい。ここで、換気装置は、トイレ又は浴室の換気ファン等を用いることができる。
【００１０】
本発明によれば、排気手段を、本体躯体に設けられている既設の換気装置と兼用させているため、設備費用を低減させ、効率的に床下空間の換気を行うことができる。
【００１１】
【発明の実施の形態】
以下、本発明の実施の一形態について、図面を参照して詳細に説明する。
なお、図１は、本発明の建物１を示す側面図であり、図２は、本発明の建物１を示す平面図であるが、両図は、本発明の建物１の概念を説明するための図であり、同一の建物について示したものではない。
なお、各実施形態の説明において、同一の構成要素に関しては同一の符号を付し、重複した説明は省略するものとする。
【００１２】
図１に示すように、本発明の建物１は、上部構造である本体躯体２（建物躯体）と基礎３とから構成されている。
基礎３は、鉄筋コンクリート構造であるべた基礎であり、底盤部３１と、当該底盤部３１の外周縁部に立設している外周立上り部３２及び底盤部３１の内側領域に立設している内側立上り部３３とから形成されている。
基礎３は、構築時における地盤Ｇの掘削や土砂の搬出入を可能な限り抑制するために、底盤部３１の下面を地表面Ｌから浅い深さ位置に定めるとともに、地盤Ｇ中の湿気を防ぐために地表面Ｌから高い位置となるように上面を定めている。そして、外周立上り部３２における内周面３２ａの全域、及び、底盤部３１の上面３１ａにおける当該外周立上り部３２との接続部（周縁部）からの所定範囲には断熱材３６が貼設されている。
【００１３】
なお、底盤部３１における周縁部の近傍以外の部位は、コンクリートの蓄熱作用により地盤Ｇ中の地熱が蓄熱されるため、必ずしも断熱材３６を貼設する必要はない。
また、基礎３が構築される地盤Ｇは、転圧もしくは必要に応じてモルタル撹拌等の地盤改良が行われている。
【００１４】
基礎３の上部には、壁面２１及び屋根材２２等を備える本体躯体２が構築されている。そして、基礎３の外周立上り部３２及び内側立上り部３３の上部は床板２３（床部材）により区画されており、その下部には床下空間１０が形成されている。
図２に示すように、本体躯体２の内部は、ダイニングキッチン４１（以下、「ＤＫ」という）、居間４２、和室４３、寝室４４、トイレ４５，浴室４６、玄関４７、ホール４８、廊下４９の室内空間に区画されている。
また、トイレ４５、浴室４６における天井の所定位置に設けられている外部と連通する排気口４５ａ、４６ａには換気ファン５１（排気手段）が設けられており、本体躯体２におけるＤＫ４１の壁面２１の所定位置には、吸気口４１ａが設けられている。
【００１５】
ＤＫ４１の床板２３の所定位置には吸気連通口２３ａが設けられており、前記吸気口４１ａと連通している。この吸気連通口２３ａは、床下ダクト１１と接続されており、当該床下ダクト１１は吸入した空気を浄化するための吸気フィルタ１２（空気濾過手段）と、空気の吸込及び送風を行う吸気・循環ファン１３（吸気手段）と接続されている。
内側立上り部３３の所定位置には通気口３３ａ（本実施形態では、ＤＫ４１と居間４２、居間４２とホール４８、ホール４８と和室４３、和室４３と寝室４４、寝室４４とトイレ４５、寝室４４と浴室４６、ホール４８と廊下４９、廊下４９とトイレ４５等）が設けられている。
また、トイレ４５及び浴室４６の床板２３における所定位置には排気連通口２３ｂが設けられており、前記排気口４５ａ，４６ａと連通している。
【００１６】
なお、図３に示すように、吸気口４１ａ’と吸気連通口２３ａ’の接続は、当該吸気口４１ａ’と接続している天井部のダクト２４と、当該天井部のダクト２４及び吸気連通口２３ａ’に接続している垂直ダクト５５を使用して行うこともできる。また、それ以外にも、ＤＫ４１におけるキッチンカウンターの袖腰壁内の間隙部、階段下部の収納空間、外壁と内壁との間の間隙部（図示せず）等を使用して行うこともできるが、なるべく目立たない箇所を選定することが好ましいものである。
【００１７】
また、排気口４５ａ，４６ａは、汚れた空気が滞留しやすく、換気ファン５１が必要となるトイレ４５、浴室４６等における排気口と兼用させて設けることが好ましく、排気連通口２３ｂ’との接続は、設備機器設置のためのデッドスペース５６やパイプスペース（図示せず）等を用いることが好ましい。
【００１８】
このような構成により、本発明の建物１は、吸気口４１ａと床下空間１０と排気口４５ａ，４６ａとを連通させることにより、当該吸気口４１ａから吸入した空気を床下空間１０に導入して流通させ、排気口４５ａ，４６ａから排出することができるようになっている（室内空間においても、吸気口４１ａから吸引された空気を循環させて排気口４５ａ，４５ｂから排出することができるようになっている）。
【００１９】
なお、前記吸気・循環ファン１３に接続して、必要に応じて分岐チャンバ５７（空気分岐手段）を設け、吸気した空気を所望の方向に分岐して導風することもできる。
また、床下空間１０の所定位置には、通排風可能となるように床下収納庫（図示せず）を設けるものであってもよい。
【００２０】
前記建物１の作用について説明する。
吸気・循環ファン１３及び排気ファン５１を作動させる。吸気・循環ファン１３の動作に伴い、吸気口４１ａ、吸気連通口２３及び吸気ダクト１１を介して、建物１の外部から床下空間１０に空気が導入され、吸気フィルタ１２を通過する際に塵埃等が除去される。そして、吸気・循環ファン１３により、強制的に床下空間１０に清浄な空気の流れが形成される。この空気の一部は、ＤＫ４１→居間４２→ホール４８→和室４３→寝室４４→トイレ４５の各下部空間の経路を通過した後に、トイレ４５の排気連通口２３ａを通り、当該トイレ４５の排気ファン５１を通って外部に排出される。
【００２１】
また、前記空気の一部は、ＤＫ４１→居間４２→ホール４８→廊下４９→トイレ４５の下部空間の経路を通過した後に、トイレ４５の排気連通口２３ａを通り、当該トイレ４５の排気ファン５１を通って外部に排出される。
さらに、前記空気の一部は、ＤＫ４１→居間４２→ホール４８→和室４３→寝室４４→浴室４６の各下部空間の経路を通過した後に、浴室４６の排気連通口（図示せず）を通り、当該浴室４８の排気ファン５１を通って外部に排出される（空気の流れは図２に点線で示す）。
【００２２】
このように、本発明によれば、本体躯体２に設けられている吸気口４１ａ及び排気口４５ａ，４６ａと床下空間１０とを連通させることにより、当該吸気口４１ａから吸入した空気を床下空間１０に導入して流通させ、排気口４５ａ，４６ａから排出することが可能となることから、床下空間１０の通気性を向上させることができる。そのため、床下空間１０の多湿状態を改善させることができ、結露の発生、害虫の発生等を防止することができるため、建物１の耐久性の向上を図ることができる。
また、基礎３に吸気口４１ａ及び排気口４５ａ，４６ａを設ける必要がないことからも、建物１の耐久性の向上を図ることができる。
【００２３】
また、本発明によれば、床下空間１０から排出された空気を、汚れた空気が滞留しやすい室内空間に予め設置されているトイレ４５及び浴室４６の排気ファン５１を用いて建物１の外部に排出している。従って、新たな排出用の排気ファンを設ける必要がないこことから、設備費用を低減させ、効率的に床下空間１０の換気を行うことが可能となる。
【００２４】
また、基礎３に吸気口４１ａ及び排気口４５ａ，４６ａを設ける必要がないこと及び基礎３の外周立上り部３２及び底盤部３１の所定位置に断熱材３６が貼設されていることから、室内空間における冷暖房の効率を向上させることができ、快適な居住空間を提供することが可能となる。
さらに、床下空間１０に吸気フィルタ１１及び吸気・循環ファン１３を設置しているため、当該床下空間１０へ清浄な空気を多量に導風させることができるため、良好な環境を保持し、効率的に換気を行うことが可能となる。そのため、床下空間１０を床下収納庫等に使用することが可能となり、有効利用を図ることができる。
【００２５】
以上、本発明について、好適な実施形態についての一例を説明したが、本発明は当該実施形態に限られず、本発明の趣旨を逸脱しない範囲で適宜設計変更が可能である。特に、前記建物の階数、間取り或いは用途等については問わないことは言うまでもない。
また、吸気口、排気口、吸気連通口、排気連通口、換気手段等の位置は、対象となる建物に応じて、効率的に空気の循環を行うことができる位置に設けるものであり、その数等も問わない。
【００２６】
【発明の効果】
本発明によれば、床下空間への通風を可能とすることにより建物の耐久性及び居住性を向上させた建物を提供することが可能となる。
【図面の簡単な説明】
【図１】本発明の建物を示す側面図である。
【図２】本発明の建物を示す平面図である。
【図３】本発明の建物の他の例を示す側面図である。
【符号の説明】
１        建物
１０      床下空間
１１      床下ダクト
１２      吸気フィルタ（空気濾過手段）
１３      吸気・循環ファン（吸気手段）
２        本体駆体
２３      床板（床部材）
２３ａ，２３ａ’    吸気連通口
２３ｂ，２３ｂ’    排気連通口
３        基礎
３１      底盤部
３２      外周立上り部
３３      内側立上り部
３３ａ    通気口
３６      断熱材
４１ａ，４１ａ’    吸気口
４５ａ，４６ａ      排気口
５１      換気ファン（排気手段）
５７      分岐チャンバ（空気分岐手段）
【図１】
0003869703.tif 000002
【図２】
0003869703.tif 000003
【図３】
0003869703.tif 000004